(57)【要約】【課題】幼児等箸の使い方に未熟な者に対して箸使いの支援と習熟を図るために、箸体に着脱自在に装着可能にした箸用補助具を提供する。【解決手段】箸体を挿通する第１筒状体１と、第１筒状体を挿通し、挿通の進行によって第１筒状体を箸体に密着させる第２筒状体２と、第２筒状体をそれに密着して挿通する指を通す１個又は２個のリング３２（４２，４３）を有する第３筒状体３（４）とを組み合わせた構成を有し、第２筒状体を箸体の長手方向の一方側に移動させることにより箸体に密着し、他方側に移動させることにより密着を解除できる構成になっている。【選択図】図６
2019008009.tif 000002
【特許請求の範囲】
【請求項１】
箸体を挿通する筒状部と、その一方端の外周に径大部を有し、前記筒状部はその両端から長手方向に延びる複数の切り込みを有し、前記筒状部の内周面及び外周面の長手方向に並設した複数個のひっかかり部を有するプラスチック製の第１筒状体と、
前記第１筒状体を挿通する筒状体であって、両端の外周に径大部を有し、前記筒状体は一方端から他方端に向かって順次内径が大きくなっており、前記筒状体の他方端側から一方端側に延びるに複数の切り込みを有し、前記筒状部の内周面に長手方向に並設した複数個のひっかかり部を有し、これらひっかかり部は前記第１筒状体の前記他方端側を前記第２筒状体の前記他方端から挿通した際に、前記第１筒状体の前記筒状部の外周面の前記ひっかかり部に前記第２筒状体の前記ひっかかり部が係合するように構成され、前記第１筒状体より高硬度のプラスチック製であって前記第１の筒状体を箸体に締め付ける第２筒状体と、
前記第の筒体の外周に装着し、指を通す１個又は２個のリングを一体に設けたプラス
チック製の第の筒状体と、
を具備することを特徴とする箸用補助具。
【請求項２】
箸体を挿通する筒状部と、その一方端の外周に径大部を有し、前記筒状部はその両端から長手方向に延びる複数の切り込みを有し、前記筒状部の内周面及び外周面の長手方向に並設した複数個のひっかかり部を有するプラスチック製の２個の第１筒状体と、
前記第１筒状体を挿通する筒状部であって、両端の外周に径大部を有し、前記筒状部は一方端から他方端に向かって順次内径が大きくなっており、前記筒状部の他方端側から一方端側に延びるに複数の切り込みを有し、前記筒状部の内周面に長手方向に並設した複数個のひっかかり部を有し、これらひっかかり部は前記第１の筒状体の前記他方端側を前記第２の筒状体の前記他方端から挿通した際に、前記第１の筒状体の前記筒状部の外周面の前記ひっかかり部に前記第２の筒状体の前記ひっかかり部が係合するように構成され、前記第１の筒状体より高硬度のプラスチック製であって前記第１の筒状体を箸体に締め付ける２個の第２筒状体と、
前記第２筒体の外周に装着し、親指を通す１個のリングを一体に設けたプラスチック
製の第３筒状体と、
前記第２の筒体の外周に装着し、人差し指と中指を通す２個のリングを一体に設けたプ
ラスチック製の第４筒状体とを具備し、
使用時に、前記第３筒状体に前記第２筒状体を挿通し、前記第２筒状体に前記第１筒状体を挿通したものの前記第１筒状体に一対の箸体の一方を挿通し、
前記第４筒状体に前記第２筒状体を挿通し、前記第の筒状体に前記第１筒状体を挿通したものの前記第１筒状体に一対の箸体の他方を挿通する
ことを特徴とする箸用補助具。
【発明の詳細な説明】
【技術分野】
【０００１】
本発明は箸に装着することにより、幼児、身障者、外国人等箸の使い方に未熟な者に対して箸使いの支援と習熟を図る箸用補助具に関する。
【背景技術】
【０００２】
幼児、身障者、外国人等箸の使い方に未熟な者に対して箸使いの支援と習熟を図るための箸が種々提案されている。例えば、特表２００４−５３８０７４号公報には、箸の正しい持ち方を習熟するために、一対の箸体の一方に親指を通す１個のリングを、他方に人差し指と中指を通す２個のリングを一体に形成した練習用箸と、２個のリングを一体に形成せず、筒状の保持ユニットに２個のリングを一体に形成し、これを他方の箸体に装着した練習用箸とが開示されている。このような練習用箸は、一対の箸体の少なくとも一方には親指を通す１個のリングを箸体と一体に形成する必要があり、箸使いを習熟した後は箸として使用できないという問題がある。また、この練習用箸は箸と使用者が一対一の相関がなくてはならないため、外出の際に自分用の練習用箸を持参する必要があるという問題がある。更に、箸を紛失又は箸を交換したい場合、一対の箸体に１個又は２個のリングを備える練習用箸を新たに購入する必要があるという問題がある。
【先行技術文献】
【特許文献】
【０００３】
【特許文献１】特表２００４−５３８０７４号
【発明の概要】
【発明が解決しようとする課題】
【０００４】
本発明の目的は、幼児等箸の使い方に未熟な者に対して箸使いの支援と習熟を図るために、箸体に着脱自在に装着可能にした箸用補助具を提供することにある。
本発明の他の目的は、箸体に加工を施したり、傷をつけることなく、箸体に着脱自在に装着可能にした箸用補助具を提供することにある。
本発明の別の目的は、箸体の断面形状に影響されず、常に容易に箸体に着脱自在に装着可能にした箸用補助具を提供することにある。
【課題を解決するための手段】
【０００５】
本発明箸用補助具の第１の特徴とするところは、箸体を挿通する第１筒状体と、第１筒状体を挿通し、挿通の進行によって第１筒状体を箸体に密着させる第２筒状体と、第２筒状体をそれに密着して挿通する指を通す１個又は２個のリングを有する第３筒状体とを組み合わせた構成とした点にある。具体的には、使用時に、１個のリングを有する第３筒状体に第２筒状体を挿通し、第２筒状体に第１筒状体を挿通したものの第１筒状体に一対の箸体の一方を挿通し、２個のリングを有する第３筒状体に第２筒状体を挿通し、第２筒状体に第１筒状体を挿通したものの第１筒状体に一対の箸体の他方を挿通することによって使用可能になる。箸用補助具の材質は、第１筒状体は柔らかいプラクチック製であり、第２筒状体は第１筒状体より硬質のプラスチック製であり、第３筒状体は指に接触しても違和感のない柔らかさを有するプラスチック製である点にある。
【０００６】
本発明箸用補助具の第２の特徴とするところは、箸体を挿通する筒状部と、その一方端の外周に径大部を有し、筒状部はその両端から長手方向に延びる複数の切り込みを有し、筒状部の内周面及び外周面の長手方向に並設した複数個のひっかかり部を有するプラスチック製の２個の第１筒状体と、第１筒状体を挿通する筒状部であって、両端の外周に径大部を有し、筒状部は一方端から他方端に向かって順次内径が大きくなっており、筒状部の他方端側から一方端側に延びる複数の切り込みを有し、筒状部の内周面に長手方向に並設した複数個のひっかかり部を有し、これらひっかかり部は第１筒状体の他方端側を第２筒状体の他方端から挿通した際に、第１筒状体の筒状部の外周面のひっかかり部に第２筒状体のひっかかり部が係合するように構成され、第１筒状体より高硬度のプラスチック製であって第１筒状体を箸体に締め付ける２個の第２筒状体と、第２筒状体の外周に装着し、親指を通す１個のリングを一体に設けたプラスチック製の第３筒状体と、第２筒状体の外周に装着し、人差し指と中指を通す２個のリングを一体に設けたプラスチック製の第４筒状体と、を具備し、使用時に、第３筒状体に第２筒状体を挿通し、第２筒状体に第１筒状体を挿通したものの第１筒状体に一対の箸体の一方を挿通し、第４筒状体に第２筒状体を挿通し、第２筒状体に第１筒状体を挿通したものの第１筒状体に一対の箸体の他方を挿通する構成とした点にある。
【０００７】
第１筒状体は筒状部の内周面にはひっかかり部の代わりに任意形状の突起を並設してもよい。この突起は、箸体を挿通したときに、突起が変形することで箸体を把持する機能を有している。また、第１筒状体の筒状部が断面円形であった場合、挿通する箸体の断面が例えば四角形であった場合であっても、筒状部及び突起が断面四角形の箸体の外形に沿って変形することで把持を確実にできる機能を有している。突起の形状は、内周面に沿う複数個のリング状の突起、リング状突起を周方向に任意の数に分割したもの、内周面と直行する方向に延びる線状突起、複数個の円形又は多角形状の突起、等が考えられる。
【０００８】
第１筒状体及び第２筒状体に設けられるひっかかり部は、第２筒状体に第１筒状体を挿入する場合に挿入を妨げるように作用せず、第２筒状体から第１筒状体を挿入方向とは逆方向に移動して脱着す際に脱着を妨げるように作用する形状を有している。具体的には、筒状部の外周面及び内周面の周方向に延びる一方に傾いた山形を複数個並設した形状が望ましい。
【０００９】
第３筒状体及び第４筒状体に設ける１個又は２個のリングは、箸体を把持したときに親指又は人差し指と中指が位置する箇所に設けてある。これらリングは右利きの方が箸体を把持する場合と左利きの方が箸体を把持する場合には、リングの設け方を変える必要がある。
【００１０】
箸用補助具を装着した一対の箸体の食物を挟む側とは反対側の端部に連結具を装着して
使用することで、一対の箸体の間隔及び把持位置を把持し易いように適正に保持でき、箸の使い方に未熟な者に対して箸の正しい使い方の支援と習熟をより促進する効果がある。
連結具としては、箸体を挿通する一対の筒状部と筒状部と一体に形成された柔軟性を有
する連結部を備えている。
【発明の効果】
【００１１】
本発明箸用補助具は、箸体を挿通する第１筒状体と、第１筒状体を挿通し、挿通の進行によって第１筒状体を箸体に密着させる第２筒状体と、第２筒状体をそれに密着して挿通する指を通す１個又は２個のリングを有する第３筒状体とを組み合わせた構成であるため、第２筒状体を箸体の長手方向の一方側に移動させることにより第１筒状体を箸体に密着させ、他方向に移動させることにより密着を解除できるという利点を有している。
また、本発明箸用補助具は、第２筒状体を箸体の長手方向に移動させることみより箸体に容易に着脱できるため、箸体にネジ固着または接着するものに比較して箸体を綺麗に保つことができる利点を有している。
更に、本発明箸用補助具は、柔軟性を有するプラスチックで製造されているため、箸体の断面形状に影響されず、断面形状が丸形、多角形、四角形、三角形であっても、常に容易に箸体に着脱自在に装着できる利点を有している。
【図面の簡単な説明】
【００１２】
【図１】本発明箸用補助具の第１筒状体の一実施例を示す全体斜視図及び上方斜視図である。
【図２】本発明箸用補助具の第２筒状体の一実施例を示す全体斜視図及び上方斜視図である。
【図３】本発明箸用補助具の第３筒状体の一実施例を示す概略図である。
【図４】本発明箸用補助具の第４筒状体の一実施例を示す概略図である。
【図５】第１筒状体、第２筒状体及び第３筒状体を組み合わせた本発明箸用補助具の概略斜視図である。
【図６】第１筒状体、第２筒状体及び第４筒状体を組み合わせた本発明箸用補助具の概略斜視図である。
【図７】本発明箸用補助具の使用方法を説明する概略図である。
【図８】本発明箸用補助具を一対の箸体に装着した概略図である。
【図９】本発明箸用補助具の第２の実施例を示す左利き用の第３筒状体の一実施例を示す概略図である。
【図１０】本発明箸用補助具の第２の実施例を示す左利き用の第４筒状体の一実施例を示す概略図である。
【図１１】本発明箸用補助具と共用する箸体の連結具の一例を示す概略図である。
【発明を実施するための形態】
【００１３】
本発明箸用補助具は、箸体を挿通する第１筒状体と、第１筒状体を挿通する第２筒状体と、第２筒状体を挿通する指を通す１個のリングを有する第３筒状体とを組み合わせた第１の構成体と、箸体を挿通する第１筒状体と、第１筒状体を挿通する第２筒状体と、第２筒状体を挿通する指を通す２個のリングを有する第３筒状体とを組み合わせた第２の構成体とで対をなし使用される。本発明箸用補助具の他の実施形態は、箸体を挿通する第１筒状体と、第１筒状体を挿通する第２筒状体と、第２筒状体を挿通する指を通す１個又は２個のリングを有する第３筒状体とを組み合わせた構成体で使用される。
【実施例１】
【００１４】
図１は本発明箸用補助具の構成部品である第１筒状体の一実施例を示す全体斜視図（ａ）及び上方斜視図（ｂ）である。図１において、１は箸体を挿通する筒状部１１と、筒状部１１の一方端の外周に形成した径大部１１ｄ、筒状部１１の両端から長手方向に延びるように形成した複数個（図では２個）の切り込み１１ｅ、１１ｆ、筒状部１１の内周面１１１及び外周面１１２の長手方向に並設した複数個のひっかかり部１１ｇ及び１１ｈを有するプラスチック製の第１筒状体である。切り込み１１ｅ、１１ｆは箸体の断面形状が異なる場合においても保持できるようにするために、周方向に位置をずらせて形成されている。ひっかかり部１１ｇ及び１１ｈは筒状部１１の内周面１１１及び外周面１１２の周方向に延びその断面が一方に傾いた山形を複数個長手方向に突出して並設した形状を有している。内周面１１１のひっかかり部１１ｇは、図に示す形状に限定されるものではなく、任意形状の突起を並設したものでもよい。
【００１５】
図２は本発明箸用補助具の構成部品である第２筒状体の一実施例を示す全体斜視図（ａ）及び上方斜視図（ｂ）である。図２において、２は第１筒状体１を挿通する筒状部２１と、筒状部２１の両端の外周に形成した径大部２１ｄと、筒状部２１の一方端から他方端方向に延びる複数個（図では４個）の切り込み２１ｅと、筒状部２１の内周面２１１に長手方向に並設した複数個のひっかかり部２１ｇとを有し、これらひっかかり部２１ｇは第１筒状体１の他方端側を第２筒状体２の一方端側から挿通した際に、第１筒状体１の筒状部１１の外周面のひっかかり部１１ｇに第２筒状体２の内周面２１１のひっかかり部２１ｇが係合するように構成され、第１筒状体１より高硬度のプラスチック製であって第１筒状体１を箸体に密着させる第２筒状体である。第２筒状体２の筒状部２１は、その一方端から他方端方向に向かって順次内径が小さくなっており、これによって第２筒状体２に第１筒状体１を挿通すると、その進行に伴って第２筒状体２が第１筒状体１を押圧し、第１筒状体１が箸体に密着することになる。第１筒状体１はその筒状部１１の両端から長手方向に延びる複数個（図では２個）の切り込み部１１ｅ、１１ｆを有しているため、第２筒状体２の筒状部２１に挿通した時に箸体に密着することが容易になる。また、筒状部１１の一端側は内径を多少大きくすることで、第１筒状体１との組み合わせ作業を容易にすることが望ましい。
【００１６】
図３は本発明箸用補助具の構成部品である第３筒状体の一実施例を示す概略斜視図である。図３において、３は第２筒状体２を挿通する筒状部３１と、筒状部３１の外周側に一体に形成された親指を通す１個のリング３２とから構成されたプラスチック製の第３筒状体である。筒状部３１は第２筒状体２の筒状部２１の径大部２１ｄ相互間の長さと略同一寸法を有し、かつ第２筒状体２の筒状部２１の外径より僅かに大きく、径大部２１ｄの外径より小さい内径を有する構成となっている。リング３２は箸体を把持した時に、右手の親指が違和感なく自然に通すことが可能な角度で筒状部３１の外周に一体に形成されている。
【００１７】
図４は本発明箸用補助具の構成部品である第４円筒体の一実施例を示す概略斜視図である。図４において、４は第２筒状体２を挿通する筒状部４１と、筒状部４１の外周側に一体に形成された人差し指と中指を通す２個のリング４２、４３を一体に設けたプラスチック製の第４筒状体である。筒状部４１は第２筒状体２の筒状部２１の径大部２１ｄ相互間の長さと略同一寸法を有し、かつ第２筒状体２の筒状部２１の外径より僅かに大きく、径大部２１ｄの外径より小さい内径を有する構成となっている。リング４２及び４３は箸体を把持した時に、右手の人差し指と中指が違和感なく自然に通すことが可能な角度で筒状部４１の外周に一体に形成されている。
【００１８】
図５は本発明箸用補助具の構成部品である第１筒状体１、第２筒状体２及び第３筒状体３を組み合わせた箸用補助具の概略斜視図である。図５は、１個のリング３２を外周に一体に形成した第３筒状体３に第２筒状体２の筒状部２１を挿通し、更に第１筒状体１を第２筒状体２の筒状部２１に挿通した状態を示している。この状態の組み合わせ構造体を準備し、第１筒状体１の筒状部１１に箸体を挿通状態として、第２筒状体２の筒状部２１を筒状部１１の径大部１１ｄ方向に移動することで第１筒状体１の筒状部１１を箸体に固定する。
次に、第１筒状体１の筒状部１１を箸体から外す時は、第２筒状体２の筒状部２１に形成した切り込み２１ｅを指で押すか、両側から挟んで押すことにより、筒状部２１の内周面２１１に並設した複数個のひっかかり部２１ｇが変形して、第１筒状体１の筒状部１１の外周面１１２に並設した複数個のひっかかり部１１ｇとの係合が解除され、第２筒状体２の筒状部２１を筒状部１１の径大部１１ｄに向かう方向とは逆方向に移動することが可能となる。これによって、筒状部１１の箸体への密着が解除される。
このように、第２筒状体２の筒状部２１を第１筒状体１の筒状部１１の径大部１１ｄに向かう方向に移動することにより第１筒状体１の筒状部１１を箸体に固定し、反対方向に移動することにより第１筒状体１の筒状部１１を箸体から固定を解除することができるのである。
【００１９】
図６は本発明箸用補助具の構成部品である第１筒状体１、第２筒状体２及び第４筒状体４を組み合わせた箸用補助具の概略斜視図である。図は、２個のリング４２、４３を外周に一体に形成した第４筒状体４に第２筒状体２の筒状部２１を挿通し、更に第１筒状体１を第２筒状体２の筒状部２１に挿通した状態を示している。この状態の組み合わせ構造体を準備し、第１筒状体１の筒状部１１に箸体を挿通状態として、第２筒状体２の筒状部２１を筒状部１１の径大部１１ｄ方向に移動することで第１筒状体１の筒状部１１を箸体に固定する。
次に、第１筒状体１の筒状部１１を箸体から外す時は、上述したように、第２筒状体２の筒状部２１に形成した切り込み２１ｅを指で押すか、両側から挟んで押すことにより、筒状部２１の内周面２１１に並設した複数個のひっかかり部２１ｇが変形して、第１筒状体１の筒状部１１の外周面１１２に並設した複数個のひっかかり部１１ｇとの係合が解除され、第２筒状体２の筒状部２１を筒状部１１の径大部１１ｄに向かう方向とは逆方向に移動することが可能となる。これによって、筒状部１１の箸体への密着が解除される。
このように、第２筒状体２の筒状部２１を第１筒状体１の筒状部１１の径大部１１ｄに向かう方向又は反対方向に移動することにより、第１筒状体１の筒状部１１を箸体に固定又は固定を解除することができるのである。
【００２０】
図７は本発明箸用補助具の使い方を説明するための概略断面図で、（ａ）は図５及び図６の状態を示し、（ｂ）は箸体に装着する状態を示している。本発明箸用補助具の使用に際しては、図７（ａ）に示すように、第３筒状体３（及び第４筒状体４）に第２筒状体２を挿通し、しかる後に第２筒状体２に第１筒状体１を浅く挿通して箸体に装着する前の状態にする。次に、図７（ｂ）に示すように、第１筒状体１の筒状部１１に箸体７を挿通する。箸体７は先端が最も細く、先端から離れるに従って順次太くなる形状を有しており、箸体７の先端をから第１筒状体１の筒状部１１に挿入し、箸体７を把持するに相応しい箇所まで挿入する。この状態では、第１筒状体１の筒状部１１が箸体７に密着していないが、第２筒状体２の筒状部２１を矢印方向に移動することにより、第１筒状体１の筒状部１１が箸体７に密着する。即ち、第２筒状体２の筒状部２１はその内径が一方端から他方端方向に向かって順次内径が小さくなるように構成されており、第２筒状体２の筒状部２１の移動により、第１筒状体１の筒状部１１の内形が小さくなるように押圧され、第１筒状体１の筒状部１１の内周面に形成されたひっかかり部１１ｈの変形により強固な密着が可能になる。
【００２１】
図８は本発明箸用補助具を装着した一対の箸体を示す。図において、８１、８２は一対の箸体、８３は図５に示す第１筒状体１、第２筒状体２及び第３筒状体３を組み合わせて構成し、箸体８１に装着された第１の箸用補助具、８４は図６示す第１筒状体１、第２筒状体２及び第４筒状体４を組み合わせて構成し、箸体８２に装着された第２の箸用補助具である。図では、第１の箸用補助具８３と第２の箸用補助具８４が箸体８１，８２の略同一位置に装着されているが、箸を把持する者の持ち易さを考慮して位置を調整することが可能である。
【実施例２】
【００２２】
図９及び図１０は左利き用の第３筒状体３１及び第４筒状体４１を示す概略斜視図である。左利き用の第３筒状体３１及び第４筒状体４１の特徴は、筒状部３１及び４１は図３及び図４と同じ構成であるが、１個のリング３２及び２個のリング４２、４３を筒状部３１及び４１に一体に形成する場合の筒状部３１及び４１に対する傾きが逆になっている。これによって、箸体に装着した時に左利きの人に持ち易い箸を提供できる。
この場合、第３筒状体３１及び第４筒状体４１と組み合わせる第１筒状体及び第２筒状体は図１及び図２に示すものがそのまま使用できる。
【実施例３】
【００２３】
図１１は本発明箸用補助具と共用する箸体の連結具の一例を示す概略図である。図１１（ａ）は連結具の斜視図、図１１（ｂ）は連結具の平面図、図１１（ｃ）は連結具及び箸用補助具を装着した一対の箸体を示す斜視図である。図において、１０は一対の箸体を挿通するプラスチック製の一対の筒状部１０１、１０２と、一対の筒状部１０１、１０２を連結する連結部１０３からなるプラスチック製の連結具で、一対の筒状部１０１、１０２の内周側には筒状部の長手方向に延びる突起１０１ａ、１０２ａが周方向に並設されている。連結部１０３は一対の筒状部１０１、１０２の一端と一体に形成され、途中に略Ｖ字形を有する第１の部分１０３ａと、第１の部分１０３ａと一対の筒状部１０１、１０２の外周に一体形成された第２の部分１０３ｂ、１０３ｃと、第１の部分１０３ａの略Ｖ字形を有する部分と一体形成された第３の部分１０３ｄとから構成されている。第１の部分１０３ａは連結具に柔軟性を付与し、第２の部分１０３ｂ、１０３ｃ及び第３の部分１０３ｄは連結具に機械的強度を付与する機能を有している。一対の筒状部１０１、１０２の内周側に設けた突起１０２ａ、１０３ａは、箸体の断面形状が丸形、三角形、４角形、多角形であっても挿通した箸体を一定の圧力で保持する機能を有している。
この連結具１０は図１１（ｃ）に示すように、図８に示す箸用補助具８３、８４を装着した一対の箸体８１、８２の食物を挟む側とは反対側の端部に装着して使用する。これによって、箸用補助具８３、８４を装着した一対の箸体８１、８２を把持し易いように保持でき、箸の使い方に未熟な者に対して箸の正しい把持を可能にする効果がある。
【実施例４】
【００２４】
本発明箸用補助具を商品として販売する形態としては、図８に示すように一対の箸体の装着した第１の形態、図５に示す第１筒状体１、第２筒状体２及び第３筒状体３を組み合わせた第１の箸用補助具と、図６に示す第１筒状体１、第２筒状体２及び第４筒状体４を組み合わせた第２の箸用補助具とをセットにした第２の形態、第１の箸用補助具と第１の箸用補助具を個別の販売単位とする第３の形態が想定される。
【００２５】
第１の形態の場合には箸体とセットになっているため、箸体との密着度及び色合いの優れた補助具付箸を提供できる利点がある。第２の形態の場合には自宅だけでなく外出先で出され箸体に装着できる利点がある。第３の形態の場合には箸用補助具が破損したり、紛失した際に補充できる利点がある。
【００２６】
本発明箸用補助具は、箸体を挿通する第１筒状体と、第１筒状体を挿通し、挿通の進行によって第１筒状体を箸体に密着させる第２筒状体と、第２筒状体をそれに密着して挿通する指を通す１個又は２個のリングを有する第３筒状体とを組み合わせた構成であれば十分であり、実施例で説明された方法及び構成に限定されるものではなく、本発明の技術的思想の範囲内で種々の変形が可能である。
【符号の説明】
【００２７】
１  第１筒状体、
２  第２筒状体
３、３１  第３筒状体
４、４１  第４筒状体
１１、２１、３１、４１  筒状部
１１ｄ、２１ｄ  径大部
１１ｅ、１１ｆ、２１ｅ  切り込み、
１１ｇ、１１ｈ  ひっかかり部
３１、４２，４３  リング、
８１，８２  箸体
１０  連結具
【図１】
2019008009.tif 000003
【図２】
2019008009.tif 000004
【図３】
2019008009.tif 000005
【図４】
2019008009.tif 000006
【図５】
2019008009.tif 000007
【図６】
2019008009.tif 000008
【図７】
2019008009.tif 000009
【図８】
2019008009.tif 000010
【図９】
2019008009.tif 000011
【図１０】
2019008009.tif 000012
【図１１】
2019008009.tif 000013